(57)【特許請求の範囲】
【請求項１】
無線ローカルエリアネットワーク（ＷＬＡＮ）におけるアップリンク（ＵＬ）信号の電力制御のための方法において、
ユーザ端末において、アクセスポイント（ＡＰ）の目標キャリア対干渉（Ｃ／Ｉ）比を満たすように、前記ＵＬ信号の前記電力を調整することと、
前記ユーザ端末において、前記電力調整されたＵＬ信号を前記ＡＰへ送信することと、
前記ユーザ端末において、前記電力調整されたＵＬ信号の前記電力を示す値を前記ＡＰへ送信することと、
前記ユーザ端末において、前記アクセスポイント（ＡＰ）から、前記電力値及び前記目標Ｃ／Ｉ比に基づいた調整情報を受信することと、
前記ユーザ端末において、前記調整情報に基づいて、前記ＵＬ信号の前記電力を調整することを含む方法。
【請求項２】
前記ＵＬ信号の前記電力を調整することは、前記ＡＰの目標Ｃ／Ｉ比及びクライアント・ピーク電力制約を満たすように、前記ＵＬ信号の電力を調整することを含む請求項１の方法。
【請求項３】
前記電力値を送信することは、ＵＬパケットのメディア・アクセス制御（ＭＡＣ）ヘッダ中に前記電力値を符号化することを含む請求項１の方法。
【請求項４】
前記電力値を符号化することは、前記ＭＡＣヘッダのＮビット・フィールド中に前記電力値を符号化することを含み、
０から２Ｎ−１にわたる前記ビット値は、代表値を示す請求項３の方法。
【請求項５】
前記電力値は、ピーク送信電力からのバックオフ値を含む請求項４の方法。
【請求項６】
Ｎ＝６であり、前記代表値は、０．５ｄＢの分解能で、前記ピーク送信電力の下でおよそ０．０から３１．５ｄＢにわたる請求項５の方法。
【請求項７】
前記調整情報を受信することは、ダウンリンク（ＤＬ）パケットのメディア・アクセス制御（ＭＡＣ）ヘッダ中の前記調整情報を復号化することを含む請求項１の方法。
【請求項８】
前記調整情報を復号化することは、前記ＭＡＣヘッダのＭビット・フィールドから前記調整情報を復号化することを含み、
０から２Ｍ−１にわたるビット値は、代表値を示す請求項７の方法。
【請求項９】
前記調整情報は、ピーク送信電力からのバックオフ値を含む請求項８の方法。
【請求項１０】
Ｍ＝６であり、前記代表値は、０．５ｄＢの分解能で、前記ピーク送信電力の下でおよそ０．０から３１．５ｄＢにわたる請求項９の方法。
【請求項１１】
前記ＵＬ信号の前記電力を調整することは、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算することを含み、
Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である請求項１の方法。
【請求項１２】
前記Ｐｃｌｉｅｎｔのための計算は、ＧＯＦＤＭＡ、ＧＳＤＭＡ及びＧＣＤＭＡのうちの少なくとも一つを含む請求項１１の方法。
【請求項１３】
前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む請求項１１の方法。
【請求項１４】
前記目標Ｃ／Ｉ比は、およそ２８ｄＢである請求項１の方法。
【請求項１５】
無線ローカルエリアネットワーク（ＷＬＡＮ）におけるアップリンク（ＵＬ）信号の電力制御のためのインストラクションを記憶するコンピュータ読み取り可能な記憶媒体において、該インストラクションは１又は複数のプロセッサにより実行され、該インストラクションは、
アクセスポイント（ＡＰ）の目標キャリア対干渉（Ｃ／Ｉ）比を満たすように、前記ＵＬ信号の前記電力を調整するためのインストラクションと、
前記電力調整されたＵＬ信号を前記ＡＰへ送信するためのインストラクションと、
前記電力調整されたＵＬ信号の前記電力を示す値を前記ＡＰへ送信するためのインストラクションと、
前記アクセスポイント（ＡＰ）から、前記電力値及び前記目標Ｃ／Ｉ比に基づいた調整情報を受信するためのインストラクションと、
前記調整情報に基づいて、前記ＵＬ信号の前記電力を調整するためのインストラクションとを含むコンピュータ読み取り可能な記憶媒体。
【請求項１６】
前記ＵＬ信号の前記電力を調整するための前記インストラクションは、前記ＡＰの目標Ｃ／Ｉ比及びクライアント・ピーク電力制約を満たすように、前記ＵＬ信号の電力を調整するためのインストラクションを含む請求項１５のコンピュータ読み取り可能な記憶媒体。
【請求項１７】
前記電力値を送信するための前記インストラクションは、ＵＬパケットのメディア・アクセス制御（ＭＡＣ）ヘッダ中に前記電力値を符号化するためのインストラクションを含む請求項１５のコンピュータ読み取り可能な記憶媒体。
【請求項１８】
前記電力値を符号化するための前記インストラクションことは、前記ＭＡＣヘッダのＮビット・フィールド中に前記電力値を符号化するためのインストラクションを含み、
０から２Ｎ−１にわたる前記ビット値は、代表値を示す請求項１７のコンピュータ読み取り可能な記憶媒体。
【請求項１９】
前記調整情報を受信するための前記インストラクションは、ダウンリンク（ＤＬ）パケットのメディア・アクセス制御（ＭＡＣ）ヘッダ中の前記調整情報を復号化するためのインストラクションを含む請求項１５のコンピュータ読み取り可能な記憶媒体。
【請求項２０】
前記調整情報を復号化するための前記インストラクションは、前記ＭＡＣヘッダのＭビット・フィールドから前記調整情報を復号化するためのインストラクションを含み、
０から２Ｍ−１にわたるビット値は、代表値を示す請求項１９のコンピュータ読み取り可能な記憶媒体。
【請求項２１】
前記ＵＬ信号の前記電力を調整するための前記インストラクションは、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算するためのインストラクションを含み、
ここで、Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である請求項１５のコンピュータ読み取り可能な記憶媒体。
【請求項２２】
前記Ｐｃｌｉｅｎｔのための計算は、ＧＯＦＤＭＡ、ＧＳＤＭＡ及びＧＣＤＭＡのうちの少なくとも一つを含む請求項２１のコンピュータ読み取り可能な記憶媒体。
【請求項２３】
前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む請求項２１のコンピュータ読み取り可能な記憶媒体。
【請求項２４】
前記目標Ｃ／Ｉ比は、およそ２８ｄＢである請求項１５のコンピュータ読み取り可能な記憶媒体。
【請求項２５】
無線ローカルエリアネットワーク（ＷＬＡＮ）におけるアップリンク（ＵＬ）信号の電力制御のための装置において、
アクセスポイント（ＡＰ）の目標キャリア対干渉（Ｃ／Ｉ）比を満たすように、前記ＵＬ信号の前記電力を調整するための手段と、
前記電力調整されたＵＬ信号を前記ＡＰへ送信するための手段と、
前記電力調整されたＵＬ信号の前記電力を示す値を前記ＡＰへ送信するための手段と、
前記アクセスポイント（ＡＰ）から、前記電力値及び前記目標Ｃ／Ｉ比に基づいた調整情報を受信するための手段と、
前記調整情報に基づいて、前記ＵＬ信号の前記電力を調整するための手段とを含む装置。
【請求項２６】
前記ＵＬ信号の前記電力を調整するための前記手段は、前記ＡＰの目標Ｃ／Ｉ比及びクライアント・ピーク電力制約を満たすように、前記ＵＬ信号の電力を調整するための手段を含む請求項２５の装置。
【請求項２７】
前記電力値を送信するための前記手段は、ＵＬパケットのメディア・アクセス制御（ＭＡＣ）ヘッダ中に前記電力値を符号化するための手段を含む請求項２５の装置。
【請求項２８】
前記電力値を符号化するための前記手段は、前記ＭＡＣヘッダのＮビット・フィールド中に前記電力値を符号化するための手段を含み、
０から２Ｎ−１にわたる前記ビット値は、代表値を示す請求項２７の装置。
【請求項２９】
前記調整情報を受信するための前記手段は、ダウンリンク（ＤＬ）パケットのメディア・アクセス制御（ＭＡＣ）ヘッダ中の前記調整情報を復号化するための手段を含む請求項２５の装置。
【請求項３０】
前記調整情報を復号化するための前記手段は、前記ＭＡＣヘッダのＭビット・フィールドから前記調整情報を復号化するための手段を含み、
０から２Ｍ−１にわたるビット値は、代表値を示す請求項２９の装置。
【請求項３１】
前記ＵＬ信号の前記電力を調整するための前記手段は、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算するための手段を含み、
ここで、Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である請求項２５の装置。
【請求項３２】
前記Ｐｃｌｉｅｎｔのための計算は、ＧＯＦＤＭＡ、ＧＳＤＭＡ及びＧＣＤＭＡのうちの少なくとも一つを含む請求項３１の装置。
【請求項３３】
前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む請求項３１の装置。
【請求項３４】
前記目標Ｃ／Ｉ比は、およそ２８ｄＢである請求項２５の装置。
【請求項３５】
無線ローカルエリアネットワーク（ＷＬＡＮ）におけるアップリンク（ＵＬ）信号の電力制御ができるモバイル・デバイスにおいて、
アクセスポイント（ＡＰ）の目標キャリア対干渉（Ｃ／Ｉ）比を満たすように、前記ＵＬ信号の前記電力を調整するためのロジックと、
前記電力調整されたＵＬ信号を前記ＡＰへ送信するように構成され、更に前記電力調整されたＵＬ信号の前記電力を示す値を前記ＡＰへ送信するように構成された送信機と、
前記アクセスポイント（ＡＰ）から、前記電力値及び前記目標Ｃ／Ｉ比に基づいた調整情報を受信するように構成された受信機とを含み、
調整するための前記ロジックは、前記受信された調整情報に基づいて、前記ＵＬ信号の前記電力を調整するように構成されたモバイル・デバイス。
【請求項３６】
前記ＵＬ信号の前記電力を調整するための前記ロジックは、前記ＡＰの目標Ｃ／Ｉ比及びクライアント・ピーク電力制約を満たすように、前記ＵＬ信号の電力を調整するように構成された請求項３５のモバイル・デバイス。
【請求項３７】
前記電力値は、ＵＬパケットのメディア・アクセス制御（ＭＡＣ）ヘッダ中に符号化される請求項３５のモバイル・デバイス。
【請求項３８】
前記電力値は、前記ＭＡＣヘッダのＮビット・フィールド中に符号化され、
０から２Ｎ−１にわたる前記ビット値は、代表値を示す請求項３７のモバイル・デバイス。
【請求項３９】
ダウンリンク（ＤＬ）パケットのメディア・アクセス制御（ＭＡＣ）ヘッダ中の前記調整情報を復号化するためのロジックを更に含む請求項３５のモバイル・デバイス。
【請求項４０】
前記調整情報を復号化するための前記ロジックは、前記ＭＡＣヘッダのＭビット・フィールドから前記調整情報を復号化するように構成され、
０から２Ｍ−１にわたるビット値は、代表値を示す請求項３９のモバイル・デバイス。
【請求項４１】
前記ＵＬ信号の前記電力を調整するための前記ロジックは、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算するように構成され、
ここで、Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である請求項３５のモバイル・デバイス。
【請求項４２】
前記Ｐｃｌｉｅｎｔのための計算は、ＧＯＦＤＭＡ、ＧＳＤＭＡ及びＧＣＤＭＡのうちの少なくとも一つを含む請求項４１のモバイル・デバイス。
【請求項４３】
前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む請求項４１のモバイル・デバイス。
【請求項４４】
前記目標Ｃ／Ｉ比は、およそ２８ｄＢである請求項３５のモバイル・デバイス。
【請求項４５】
無線ローカルエリアネットワーク（ＷＬＡＮ）におけるアップリンク（ＵＬ）信号の閉ループ電力制御のための方法において、
前記アクセスポイント（ＡＰ）において、ユーザ端末から、前記ＵＬ信号の送信電力を示す値を受信することと、
前記アクセスポイント（ＡＰ）において、少なくとも前記受信された電力値及び目標キャリア対干渉（Ｃ／Ｉ）比に基づいて、調整情報を判定することと、
前記アクセスポイント（ＡＰ）において、前記調整情報を送信することを含む方法。
【請求項４６】
前記電力値を受信することは、ＵＬパケットのメディア・アクセス制御（ＭＡＣ）ヘッダ中の前記電力値を復号化することを含む請求項４５の方法。
【請求項４７】
前記電力値を復号化することは、前記ＭＡＣヘッダのＮビット・フィールドから前記電力値を復号化することを含み、
０から２Ｎ−１にわたる前記ビット値は、代表値を示す請求項４６の方法。
【請求項４８】
前記電力値は、ピーク送信電力からのバックオフ値を含む請求項４７の方法。
【請求項４９】
Ｎ＝６であり、前記代表値は、０．５ｄＢの分解能で、前記ピーク送信電力の下でおよそ０．０から３１．５ｄＢにわたる請求項４８の方法。
【請求項５０】
前記調整情報を送信することは、ダウンリンク（ＤＬ）パケットのメディア・アクセス制御（ＭＡＣ）ヘッダ中に前記調整情報を符号化することを含む請求項４５の方法。
【請求項５１】
前記調整情報を符号化することは、前記ＭＡＣヘッダのＭビット・フィールド中に前記調整情報を符号化することを含み、
０から２Ｍ−１にわたるビット値は、代表値を示す請求項５０の方法。
【請求項５２】
前記調整情報は、ピーク送信電力からのバックオフ値を含む請求項５１の方法。
【請求項５３】
Ｍ＝６であり、前記代表値は、０．５ｄＢの分解能で、前記ピーク送信電力の下でおよそ０．０から３１．５ｄＢにわたる請求項５２の方法。
【請求項５４】
前記目標Ｃ／Ｉ比は、およそ２８ｄＢである請求項４５の方法。
【請求項５５】
無線ローカルエリアネットワーク（ＷＬＡＮ）におけるアップリンク（ＵＬ）信号の閉ループ電力制御のためのインストラクションを記憶するコンピュータ読み取り可能な記憶媒体において、該インストラクションは１又は複数のプロセッサにより実行され、該インストラクションは、
前記アクセスポイント（ＡＰ）において、ユーザ端末から、前記ＵＬ信号の送信電力を示す値を受信するためのインストラクションと、
少なくとも前記受信された電力値及び目標キャリア対干渉（Ｃ／Ｉ）比に基づいて、調整情報を判定するためのインストラクションと、
前記調整情報を送信するためのインストラクションとを含むコンピュータ読み取り可能な記憶媒体。
【請求項５６】
前記電力値を受信するための前記インストラクションは、ＵＬパケットのメディア・アクセス制御（ＭＡＣ）ヘッダ中の前記電力値を復号化するためのインストラクションを含む請求項５５のコンピュータ読み取り可能な記憶媒体。
【請求項５７】
前記電力値を復号化するための前記インストラクションは、前記ＭＡＣヘッダのＮビット・フィールドから前記電力値を復号化するためのインストラクションを含み、
０から２Ｎ−１にわたる前記ビット値は、代表値を示す請求項５６のコンピュータ読み取り可能な記憶媒体。
【請求項５８】
前記調整情報を送信するための前記インストラクションは、ダウンリンク（ＤＬ）パケットのメディア・アクセス制御（ＭＡＣ）ヘッダ中に前記調整情報を符号化するためのインストラクションを含む請求項５５のコンピュータ読み取り可能な記憶媒体。
【請求項５９】
前記調整情報を符号化するための前記インストラクションは、前記ＭＡＣヘッダのＭビット・フィールド中に前記調整情報を符号化することを含み、
０から２Ｍ−１にわたるビット値は、代表値を示す請求項５８のコンピュータ読み取り可能な記憶媒体。
【請求項６０】
前記目標Ｃ／Ｉ比は、およそ２８ｄＢである請求項５５のコンピュータ読み取り可能な記憶媒体。
【請求項６１】
無線ローカルエリアネットワーク（ＷＬＡＮ）におけるアップリンク（ＵＬ）信号の閉ループ電力制御のための装置において、
前記アクセスポイント（ＡＰ）において、ユーザ端末から、前記ＵＬ信号の送信電力を示す値を受信するための手段と、
少なくとも前記受信された電力値及び目標キャリア対干渉（Ｃ／Ｉ）比に基づいて、調整情報を判定するための手段と、
前記調整情報を送信するための手段とを含む装置。
【請求項６２】
前記電力値を受信するための前記手段は、ＵＬパケットのメディア・アクセス制御（ＭＡＣ）ヘッダ中の前記電力値を復号化するための手段を含む請求項６１の装置。
【請求項６３】
前記電力値を復号化するための前記手段は、前記ＭＡＣヘッダのＮビット・フィールドから前記電力値を復号化するための手段を含み、
０から２Ｎ−１にわたる前記ビット値は、代表値を示す請求項６２の装置。
【請求項６４】
前記調整情報を送信するための前記手段は、ダウンリンク（ＤＬ）パケットのメディア・アクセス制御（ＭＡＣ）ヘッダ中に前記調整情報を符号化するための手段を含む請求項６１の装置。
【請求項６５】
前記調整情報を符号化するための前記手段は、前記ＭＡＣヘッダのＭビット・フィールド中に前記調整情報を符号化することを含み、
０から２Ｍ−１にわたるビット値は、代表値を示す請求項６４の装置。
【請求項６６】
前記目標Ｃ／Ｉ比は、およそ２８ｄＢである請求項６１の装置。
【請求項６７】
無線ローカルエリアネットワーク（ＷＬＡＮ）におけるアップリンク（ＵＬ）信号の閉ループ電力制御ができるアクセスポイント（ＡＰ）において、
前記アクセスポイント（ＡＰ）において、ユーザ端末から、前記ＵＬ信号の送信電力を示す値を受信するように構成された受信機と、
少なくとも前記受信された電力値及び目標キャリア対干渉（Ｃ／Ｉ）比に基づいて、調整情報を判定するように構成されたロジックと、
前記調整情報を送信するように構成された送信機とを含むアクセスポイント。
【請求項６８】
前記受信機は、ＵＬパケットのメディア・アクセス制御（ＭＡＣ）ヘッダ中の前記電力値を復号化するように構成された請求項６７のアクセスポイント。
【請求項６９】
前記受信機は、前記ＭＡＣヘッダのＮビット・フィールドから前記電力値を復号化するように構成され、
０から２Ｎ−１にわたる前記ビット値は、代表値を示す請求項６８のアクセスポイント。
【請求項７０】
前記送信機は、ダウンリンク（ＤＬ）パケットのメディア・アクセス制御（ＭＡＣ）ヘッダ中に前記調整情報を符号化するように構成された請求項６７のアクセスポイント。
【請求項７１】
前記送信機は、前記ＭＡＣヘッダのＭビット・フィールド中に前記調整情報を符号化するように構成され、
０から２Ｍ−１にわたるビット値は、代表値を示す請求項７０のアクセスポイント。
【請求項７２】
前記目標Ｃ／Ｉ比は、およそ２８ｄＢである請求項６７のアクセスポイント。
【発明の詳細な説明】
【技術分野】
【０００１】
（関連出願の相互参照）
この出願は、２００８年８月２０日付け提出された米国仮出願第６１／０９０３６５号の優先権を主張する。それは参照によってその全体が本明細書に組み込まれる。
【０００２】
（技術分野）
本開示の特定の実施態様は、一般に多重入力多重出力（ＭＩＭＯ）通信システムにおいて空間分割多元接続（ＳＤＭＡ）のためのマルチアンテナ伝送を使用する無線通信に関係し、より詳しくはそのようなシステムにおいて複数のＳＤＭＡ局からのアップリンク（ＵＬ）の電力の制御に関する。
【背景技術】
【０００３】
無線通信システムのために求められるバンド幅の必要量が増加している問題に対処するために、同一のチャネル（同一の時間資源及び周波数資源）を共有することによって、複数のユーザ端末が単一の基地局と通信するのを可能にし、同時に高いデータ・スループットを達成する様々なスキームが開発されている。空間分割多元接続（ＳＤＭＡ）は、次世代通信システム用の良く知られている技術として最近出現したアプローチを代表する。ＳＤＭＡ技術は、幾つかの新進の無線通信標準（例えば、ＩＥＥＥ８０２．１１（ＩＥＥＥは、米国電気電子学会（Institute of Electrical and Electronic Engineers）（3 Park Avenue, 17th floor, New York, N.Y.）の略語である）及びロングタームエボリューション（ＬＴＥ））で採用されることがある。
【０００４】
ＳＤＭＡシステムにおいて、基地局は、複数のモバイル・ユーザ端末へ又はから、同時に且つ同一の周波数を用いて、異なる信号を送信又は受信し得る。信頼できるデータ通信を達成するために、複数のユーザ端末が十分に異なる方向に位置する必要があることがある。独立した複数の信号が、基地局における複数の空間分離された（space-separated）アンテナの各々から同時に送信されることがある。その結果、混合（combined）された伝送は、指向性的であることがある、すなわち、各々のユーザ端末に専用の信号は、その特定のユーザ端末の方向で比較的強く、他のユーザ端末の方向で十分に弱いことがある。同様に、基地局は、空間的に分離された複数のアンテナの各々を介して、複数のユーザ端末からの混合された信号を同一の周波数上で同時に受信することがあり、また、該複数のアンテナからの混合された受信信号は、適切な信号処理技術を適用することによって、各々のユーザ端末から送信された独立した複数の信号に分離されることがある。
【０００５】
多重入力多重出力（ＭＩＭＯ）無線システムは、データ伝送のために幾つか（ＮＴ個）の送信アンテナ及び幾つか（ＮＲ個）の受信アンテナを使用する。ＮＴ個のアンテナ送信及びＮＲ個の受信アンテナにより形成されるＭＩＭＯチャネルは、ＮＳ個の空間チャネルに分解され得る。ここで、実際上は、ＮＳ≦ｍｉｎ ｛ＮＴ，ＮＲ｝である。ＮＳ個の空間チャネルは、より大きな全体的なスループットを達成するために、ＮＳ個の独立したデータストリームを送信するのに使用されることがある。
【０００６】
ＳＤＭＡに基づくマルチアクセスＭＩＭＯシステムにおいて、アクセスポイントは、いかなる時（moment）でも、１又は複数のユーザ端末と通信することができる。アクセスポイントが単一ユーザ端末と通信するならば、ＮＴ個の送信アンテナは一つの送信実体（アクセスポイント又はユーザ端末のいずれか）に関連しており、また、ＮＲ個の受信アンテナは一つの受信実体（ユーザ端末又はアクセスポイントのいずれか）に関連している。アクセスポイントはまた、ＳＤＭＡにより複数のユーザ端末と同時に通信することができる。ＳＤＭＡについて、アクセスポイントは、データ送信及び受信のために複数のアンテナを利用し、ユーザ端末の各々は、一般的に、データ送信及び受信のためにアクセスポイント・アンテナの数より少ない数のアンテナを利用する。ＳＤＭＡがアクセスポイントから送信されるとき、ＮＳ≦ｍｉｎ ｛ＮＴ，ｓｕｍ（ＮＲ）｝である。ここで、ｓｕｍ（ＮＲ）は、すべてのユーザ端末受信アンテナの総和を表す。ＳＤＭＡがアクセスポイントへ送信されるとき、ＮＳ≦ｍｉｎ ｛ｓｕｍ（ＮＴ），ＮＲ｝である。ここで、ｓｕｍ（ＮＴ）は、すべてのユーザ端末送信アンテナの総和を表す。
【０００７】
直交周波数分割多元接続（ＯＦＤＭＡ）は、複数のユーザ端末が単一基地局と通信することを可能にするための他の技術である。ＯＦＤＭＡベースのシステムにおいて、複数のユーザ端末は、基地局に対して異なるＯＦＤＭサブキャリア（すなわち、異なる周波数）で通信することがある。
【発明の概要】
【０００８】
本開示の特定の実施態様は、無線ローカルエリアネットワーク（ＷＬＡＮ）におけるアップリンク（ＵＬ）信号の電力制御のための方法を提供する。本方法は、一般に、アクセスポイント（ＡＰ）の目標キャリア対干渉（Ｃ／Ｉ）比を満たすように、前記ＵＬ信号の前記電力を調整することと、前記電力調整されたＵＬ信号を送信することを含む。
【０００９】
本開示の特定の実施態様は、ＷＬＡＮにおけるＵＬ信号の電力制御のためのコンピュータ・プログラム製品を提供する。本コンピュータ・プログラム製品は、一般的に、その上に記憶されたインストラクションを有するコンピュータ読み取り可能な媒体を含み、該インストラクションは１又は複数のプロセッサにより実行される。該インストラクションは、一般に、ＡＰの目標Ｃ／Ｉ比を満たすように、前記ＵＬ信号の前記電力を調整するためのインストラクションと、前記電力調整されたＵＬ信号を送信するためのインストラクションとを含む。
【００１０】
本開示の特定の実施態様は、ＷＬＡＮにおけるＵＬ信号の電力制御のための装置を提供する。本装置は、一般に、ＡＰの目標Ｃ／Ｉ比を満たすように、前記ＵＬ信号の前記電力を調整するための手段と、前記電力調整されたＵＬ信号を送信するための手段とを含む。
【００１１】
本開示の特定の実施態様は、ＷＬＡＮにおけるＵＬ信号の電力制御ができるモバイル・デバイスを提供する。本モバイル・デバイスは、一般に、ＡＰの目標Ｃ／Ｉ比を満たすように、前記ＵＬ信号の前記電力を調整するためのロジックと、前記電力調整されたＵＬ信号を送信するように構成された送信機とを含む。
【００１２】
本開示の特定の実施態様は、ＷＬＡＮにおけるＵＬ信号の閉ループ電力制御のための方法を提供する。本方法は、一般に、前記ＵＬ信号の前記電力を示す値を受信することと、少なくとも前記受信された電力値及び目標Ｃ／Ｉ比に基づいて、調整情報を判定することと、前記調整情報を送信することを含む。
【００１３】
本開示の特定の実施態様は、ＷＬＡＮにおけるＵＬ信号の閉ループ電力制御のためのコンピュータ・プログラム製品を提供する。本コンピュータ・プログラム製品は、一般的に、その上に記憶されたインストラクションを有するコンピュータ読み取り可能な媒体を含み、該インストラクションは１又は複数のプロセッサにより実行される。該インストラクションは、一般に、前記ＵＬ信号の前記電力を示す値を受信するためのインストラクションと、少なくとも前記受信された電力値及び目標Ｃ／Ｉ比に基づいて、調整情報を判定するためのインストラクションと、前記調整情報を送信するためのインストラクションとを含む。
【００１４】
本開示の特定の実施態様は、ＷＬＡＮにおけるＵＬ信号の閉ループ電力制御のための装置を提供する。本装置は、一般に、前記ＵＬ信号の前記電力を示す値を受信するための手段と、少なくとも前記受信された電力値及び目標Ｃ／Ｉ比に基づいて、調整情報を判定するための手段と、前記調整情報を送信するための手段とを含む。
【００１５】
本開示の特定の実施態様は、ＷＬＡＮにおけるＵＬ信号の閉ループ電力制御ができるＡＰを提供する。本ＡＰは、一般に、前記ＵＬ信号の前記電力を示す値を受信するように構成された受信機と、少なくとも前記受信された電力値及び目標Ｃ／Ｉ比に基づいて、調整情報を判定するように構成されたロジックと、前記調整情報を送信するように構成された送信機とを含む。
【００１６】
上記で記載された本開示の特徴が詳細に理解できるように、上記で簡単に纏めたより詳細な説明は、実施態様によって参照することでき、その一部は添付の図中に示されている。しかし、添付の図面は、単にこの開示の特定の典型的な実施態様を説明するに過ぎず、したがって、本説明は、他の等しく効果的な実施態様を許容し得るものであり、その範囲に制限されると考えられるべきではないことに注意されるべきである。
【図面の簡単な説明】
【００１７】
【図１】図１は、本開示の特定の実施態様に従って、空間分割多元接続（ＳＤＭＡ）多重入力多重出力（ＭＩＭＯ）無線システムを示す。
【図２】図２は、本開示の特定の実施態様に従って、アクセスポイント（ＡＰ）及び２つのユーザ端末のブロック図を示す。
【図３】図３は、本開示の特定の実施態様に従って、無線デバイスにおいて利用され得る様々なコンポーネントを示す。
【図４】図４は、本開示の特定の実施態様に従って、複数のユーザのためのインターリーブＯＦＤＭＡスキーム（interleaved OFDMA scheme）におけるパフォーマンス劣化（performance degradation）を示す。
【図５】図５は、本開示の特定の実施態様に従って、ユーザ端末の観点から、アップリンク（ＵＬ）信号の開ループ（及びオプションである閉ループ）電力制御のための例示的なオペレーションを示す。
【図５Ａ】図５Ａは、本開示の特定の実施態様に従ったＵＬ信号電力制御のための図５の例示的なオペレーションに対応する手段のブロック図である。
【図６Ａ】図６Ａ及び６Ｂは、本開示の特定の実施態様に従って、アクセス局の電力制御情報の伝送を示す。
【図６Ｂ】図６Ａ及び６Ｂは、本開示の特定の実施態様に従って、アクセス局の電力制御情報の伝送を示す。
【図７】図７は、本開示の特定の実施態様に従って、ＡＰの観点から、ＵＬ信号の閉ループ電力制御のための例示的なオペレーションを示す。
【図７Ａ】図７Ａは、本開示の特定の実施態様に従ったＡＰの観点からのＵＬ信号の電力を制御するための図７の例示的なオペレーションに対応する手段のブロック図である。
【詳細な説明】
【００１８】
本開示の特定の実施態様は、アクセスポイント（ＡＰ）において何らかの目標特徴（target characteristic）（例えば、目標キャリア対干渉（Ｃ／Ｉ）比（target carrier-to-interference (C/I) ratio））を達成しようとすることを目的として、無線通信システムにおいてユーザ端末からのアップリンク（ＵＬ）の送信電力を制御するための技術を及び装置を提供する。このように、そのようなユーザ端末は、ＡＰによる複数のユーザ端末から受信される複数のＵＬ信号間での受信無線周波数（ＲＦ）電力の不均衡（imbalances）の回避又は補償を支援しても良い。例えば、大きな電力不均衡の低減及びユーザ端末ごとのスループットの最適化を達成しようとすることを目的として、空間ストリームごとの目標とする後処理のＣ／Ｉ比（target post-processing C/I ratio）２８ｄＢを達成しようとすることを目的として、各々のユーザ端末における送信電力が制御されても良い。ユーザ端末及びＡＰは、空間分割多元接続（ＳＤＭＡ）技術を利用する多重入力多重出力（ＭＩＭＯ）通信システムの一部を構成しても良い。
【００１９】
“例示的な（exemplary）”という語は、“例（example）、インスタンス（instance）又はイラストレーション（illustration）として役に立つこと”を意味するために本明細書で用いられる。“例示的な（exemplary）”として本明細書で説明される実施形態は、必ずしも他の実施形態以上に好ましい又は有利であると解釈されない。また本明細書で示される用語“レガシー局（legacy stations）”は、８０２．１１ｎ又はＩＥＥＥ８０２．１１標準の旧バージョンをサポートする無線ネットワーク・ノードを一般に指し示す。
【００２０】
本明細書で説明されるマルチアンテナ伝送技術は、例えば符号分割多元接続（ＣＤＭＡ）、直交周波数分割多重（ＯＦＤＭ）、時分割多元接続（ＴＤＭＡ）などのような、様々な無線技術と組み合わせて使用されても良い。複数のユーザ端末は、（１）ＣＤＭＡでは異なる直交符号チャネルを介して、（２）ＴＤＭＡでは異なるタイムスロットを介して、又は、（３）ＯＦＤＭでは異なるサブバンドを介して、データを同時に送信／受信することができる。ＣＤＭＡシステムは、ＩＳ−２０００、ＩＳ−９５、ＩＳ−８５６、ワイドバンドＣＤＭＡ（Ｗ−ＣＤＭＡ）又は何らかの他の標準を実装しても良い。ＯＦＤＭシステムは、ＩＥＥＥ８０２．１１又は何らかの他の標準を実装しても良い。ＴＤＭＡシステムは、ＧＳＭ（登録商標）又は何らかの他の標準を実装しても良い。これらの様々な標準は当該技術において周知である。
【００２１】
例示的なＭＩＭＯシステム
図１は、アクセスポイント及びユーザ端末を含むマルチアクセスＭＩＭＯシステム１００を示す。簡単にするために、一つのアクセスポイント１１０のみが、図１に示される。アクセスポイント（ＡＰ）は、一般に、ユーザ端末と通信する固定局であり、また、基地局と呼ばれることもあり又は何らかの他の用語で呼ばれることもある。ユーザ端末（ＵＴ）は、固定されていてもモバイルであっても良く、また、モバイル局（ＭＳ）若しくは局（ＳＴＡ）と呼ばれることもあり又は何らかの他の用語で呼ばれることもある。ユーザ端末は、無線デバイス（例えば、セルラー電話、携帯情報端末（ＰＤＡ）、ハンドヘルド・デバイス、無線モデム、ラップトップ・コンピュータ、パーソナル・コンピュータなど）であっても良い。
【００２２】
アクセスポイント１１０は、ダウンリンク及びアップリンク上でいかなる時でも１又は複数のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、他のユーザ端末とピア・ツー・ピアで通信しても良い。システム・コントローラ１３０は、アクセスポイントに接続され、アクセスポイントに関する調整及び制御を提供する。
【００２３】
特定の実施態様について、以下の開示の一部は、空間分割多元接続（ＳＤＭＡ）により通信することができるユーザ端末１２０を説明するが、ユーザ端末１２０はまた、ＳＤＭＡをサポートしない何らかのユーザ端末を含んでも良い。それゆえ、そのような実施態様について、ＡＰ１１０は、ＳＤＭＡユーザ端末及び非ＳＤＭＡユーザ端末と通信するように構成されても良い。このアプローチは、都合の良いことに、ユーザ端末のより旧いバージョン（“レガシー（legacy）”局）が、それらの有効期間を延長して、企業に配置され続けることを可能にし、その一方で、より新しいＳＤＭＡユーザ端末が、適切であると考えられ導入されることを可能にする。
【００２４】
システム１００は、ダウンリンク及びアップリンク上でのデータ伝送のために、複数の送信アンテナ及び複数の受信アンテナを使用する。アクセスポイント１１０は、個数Ｎａｐのアンテナを備えており、ダウンリンク伝送に関する多重入力（ＭＩ）及びアップリンク伝送に関する多重出力（ＭＯ）を表す。選択されたＮｕ個のユーザ端末１２０のセットは、ダウンリンク伝送に関する多重出力及びアップリンク伝送に関する多重入力を全体として表す。純粋なＳＤＭＡについて、Ｎｕ個のユーザ端末のためのデータシンボル・ストリームが、何らかの手段によって、コード、周波数又は時間において多重化されるならば、Ｎａｐ≧Ｎｕ≧１を有することが要求される。データシンボル・ストリームが、ＣＤＭＡによる異なるコード・チャネル、ＯＦＤＭによるサブバンドの共通の要素をもたない（disjoint）セットなどを使用して多重化されることができるならば、ＮｕはＮａｐより大きくても良い。各々の選択されたユーザ端末は、ユーザ特有データ（user-specific data）をアクセスポイントへ送信し、及び／又は、ユーザ特有データをアクセスポイントから受信する。一般に、各々の選択されたユーザ端末は、１又は複数のアンテナ（すなわち、Ｎｕ≧１）を備えていても良い。Ｎｕ個の選択されたユーザ端末は、同一又は異なる数のアンテナを有することができる。
【００２５】
ＭＩＭＯシステム１００は、時分割双方向（time division duplex）（ＴＤＤ）システム又は周波数分割双方向（frequency division duplex）（ＦＤＤ）システムであっても良い。ＴＤＤシステムでは、ダウンリンク及びアップリンクは、同一の周波数バンドを共有する。ＦＤＤシステムでは、ダウンリンク及びアップリンクは、異なる周波数バンドを使用する。ＭＩＭＯシステム１００はまた、伝送のために単一のキャリアを利用してもよいし又は複数のキャリアを利用してもよい。各々のユーザ端末は、単一のアンテナ（例えば、低コストを維持するために）を備えていても良いし又は複数のアンテナ（例えば、追加コストがサポートできる場合に）を備えていても良い。
【００２６】
図２は、ＭＩＭＯシステム１００におけるアクセスポイント１１０及び２つのユーザ端末１２０ｍと１２０ｘのブロック図を示す。アクセスポイント１１０は、Ｎａｐ個のアンテナ２２４ａ〜２２４ａｐを備えている。ユーザ端末１２０ｍは、Ｎｕｔ，ｍ個のアンテナ２５２ｍａ〜２５２ｍｕを備えており、ユーザ端末１２０ｘは、Ｎｕｔ，ｘ個のアンテナ２５２ｘａ〜２５２ｘｕを備えている。アクセスポイント１１０は、ダウンリンクに関する送信実体及びアップリンクに関する受信実体である。各々のユーザ端末１２０は、アップリンクに関する送信実体及びダウンリンクに関する受信実体である。本明細書で使用される“送信実体（transmitting entity）”は、無線チャネルを介してデータを送信することができる独立してオペレートされる装置又はデバイスであり、“受信実体（receiving entity）”は、無線チャネルを介してデータを受信することができる独立してオペレートされる装置又はデバイスである。以下の説明では、添え字“ｄｎ”は、ダウンリンクを意味し、添え字“ｕｐ”は、アップリンクを意味し、Ｎｕｐ個のユーザ端末は、アップリンク上での同時伝送のために選択され、Ｎｄｎ個のユーザ端末は、ダウンリンク上での同時伝送のために選択され、Ｎｕｐは、Ｎｄｎと等しくても良く又は等しくなくても良く、Ｎｕｐ及びＮｄｎは、静的な値であってもよく又は各々のスケジューリング・インターバルについて変化することができる。ビームステアリング又は何らかの他の空間処理技術が、アクセスポイント及びユーザ端末において使用されても良い。
【００２７】
アップリンクの上で、アップリンク伝送について選択された各々のユーザ端末１２０において、ＴＸデータプロセッサ２８８は、データソース２８６からトラフィック・データを受信し、コントローラ２８０から制御データを受信する。ＴＸデータプロセッサ２８８は、そのユーザ端末のために選択されるレートに関連する符号化及び変調スキームに基づいて、そのユーザ端末のためのトラフィック・データ｛ｄｕｐ，ｍ｝を処理（例えば、符号化、インターリーブ及び変調）して、データシンボル・ストリーム｛ｓｕｐ，ｍ｝を提供する。ＴＸ空間プロセッサ２９０は、そのデータシンボル・ストリーム｛ｓｕｐ，ｍ｝に対して空間処理を実行し、Ｎｕｔ，ｍ個のアンテナのためのＮｕｔ，ｍ個の送信シンボル・ストリームを提供する。各々の送信機ユニット（ＴＭＴＲ）２５４は、アップリンク信号を生成するために、それぞれの送信シンボル・ストリームを、受信し、処理（例えば、アナログへの変換、増幅、フィルタリング及び周波数アップコンバート）する。Ｎｕｔ，ｍ個の送信機ユニット２５４は、伝送のためのＮｕｔ，ｍ個のアップリンク信号を、Ｎｕｔ，ｍ個のアンテナ２５２からアクセスポイント１１０へ提供する。
【００２８】
数Ｎｕｐのユーザ端末は、アップリンク上での同時伝送のためにスケジュールされても良い。これらのユーザ端末の各々は、そのデータシンボル・ストリームに対する空間処理を実行し、その送信シンボル・ストリームのセットを、アップリンク上で、アクセスポイントへ送信する。
【００２９】
アクセスポイント１１０において、Ｎａｐ個のアンテナ２２４ａ〜２２４ａｐは、アップリンク上で送信しているすべてのＮｕｐ個のユーザ端末からアップリンク信号を受信する。各々のアンテナ２２４は、受信信号をそれぞれの受信機ユニット（ＲＣＶＲ）２２２に提供する。各々の受信機ユニット２２２は、送信機ユニット２５４により実行される処理に対する相補的な処理を実行して、受信シンボル・ストリームを提供する。ＲＸ空間プロセッサ２４０は、Ｎａｐ個の受信機ユニット２２２からのＮａｐ個の受信シンボル・ストリームに対して受信機空間処理を実行し、Ｎｕｐ個のリカバーされたアップリンク・データシンボル・ストリームを提供する。受信機空間処理は、チャネル相関行列反転（channel correlation matrix inversion）（ＣＣＭＩ）、最小平均平方誤差（minimum mean square error）（ＭＭＳＥ）、連続干渉除去（successive interference cancellation）（ＳＩＣ）又は何らかの他の技術に従って実行される。各々のリカバーされたアップリンク・データシンボル・ストリーム｛ｓｕｐ，ｍ｝は、それぞれのユーザ端末により送信されたデータシンボル・ストリーム｛ｓｕｐ，ｍ｝の推定である。ＲＸデータプロセッサ２４２は、復号化されたデータを得るために、そのストリームのために使用されるレートに従って、各々のリカバーされたアップリンク・データシンボル・ストリーム｛ｓｕｐ，ｍ｝を処理（例えば、復調、デインターリーブ及び復号化）する。各々のユーザ端末ごとの復号化データは、記憶するためにデータシンク２４４へ提供されても良く及び／又は更なる処理のためにコントローラ２３０へ提供されても良い。
【００３０】
ダウンリンクの上で、アクセスポイント１１０において、ＴＸデータプロセッサ２１０は、ダウンリンク伝送についてスケジュールされたＮｄｎ個のユーザ端末のためのデータソース２０８からのトラフィック・データ、コントローラ２３０からの制御データ、及び、場合によってスケジューラ２３４からの他のデータを受信する。様々なタイプのデータが、異なるトランスポート・チャネルの上で送信されても良い。ＴＸデータプロセッサ２１０は、各々のユーザ端末のためのトラフィック・データを、そのユーザ端末のために選択されるレートに基づいて、処理（例えば、符号化、インターリーブ及び変調）する。ＴＸデータプロセッサ２１０は、Ｎｄｎ個のダウンリンク・データシンボル・ストリームをＮｄｎ個のユーザ端末に提供する。ＴＸ空間プロセッサ２２０は、Ｎｄｎ個のダウンリンク・データシンボル・ストリームに対して空間処理を実行し、Ｎａｐ個のアンテナのためのＮａｐ個の送信シンボル・ストリームを提供する。各々の送信機ユニット（ＴＭＴＲ）２２２は、信号を生成するために、それぞれの送信ダウンリンク・シンボル・ストリームを、受信し、処理する。Ｎａｐ個の送信機ユニット２２２は、伝送のためのＮａｐ個のダウンリンク信号を、Ｎａｐ個のアンテナ２２４からユーザ端末へ提供する。
【００３１】
各々のユーザ端末１２０において、Ｎｕｔ，ｍ個のアンテナ２５２は、アクセスポイント１１０からＮａｐ個のダウンリンク信号を受信する。各々の受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信機ユニット２５４からのＮｕｔ，ｍ個の受信シンボル・ストリームに対して受信機空間処理を実行して、そのユーザ端末のためのリカバーされたダウンリンク・データシンボル・ストリーム｛ｓｄｎ，ｍ｝を提供する。受信機空間処理は、ＣＣＭＩ、ＭＭＳＥ又は何らかの他の技術に従って実行される。ＲＸデータプロセッサ２７０は、そのユーザ端末のための復号化データを得るために、リカバーされたダウンリンク・データシンボル・ストリームを処理（例えば、復調、デインターリーブ及び復号化）する。
【００３２】
各々のユーザ端末１２０において、Ｎｕｔ，ｍ個のアンテナ２５２は、アクセスポイント１１０からＮａｐ個のダウンリンク信号を受信する。各々の受信機ユニット（ＲＣＶＲ）２５４は、関連するアンテナ２５２からの受信信号を処理して、受信シンボル・ストリームを提供する。ＲＸ空間プロセッサ２６０は、Ｎｕｔ，ｍ個の受信機ユニット２５４からのＮｕｔ，ｍ個の受信シンボル・ストリームに対して受信機空間処理を実行して、そのユーザ端末のためのリカバーされたダウンリンク・データシンボル・ストリーム｛ｓｄｎ，ｍ｝を提供する。受信機空間処理は、ＣＣＭＩ、ＭＭＳＥ又は何らかの他の技術に従って実行される。ＲＸデータプロセッサ２７０は、そのユーザ端末のための復号化データを得るために、リカバーされたダウンリンク・データシンボル・ストリームを処理（例えば、復調、デインターリーブ及び復号化）する。
【００３３】
図３は、システム１００内で使用され得る無線デバイス３０２において利用され得る様々なコンポーネントを示す。無線デバイス３０２は、本明細書で説明される様々な方法を実装するように構成され得るデバイスの例である。無線デバイス３０２は、アクセスポイント１１０又はユーザ端末１２０であっても良い。
【００３４】
無線デバイス３０２は、該無線デバイス３０２のオペレーションを制御するプロセッサ３０４を含んでも良い。プロセッサ３０４はまた、中央演算処理装置（ＣＰＵ）と呼ばれることがある。メモリ２０６Ａ（それはリードオンリーメモリ（ＲＯＭ）とランダムアクセスメモリ（ＲＡＭ）の両方を含んでもよい）は、インストラクション及びデータをプロセッサ３０４に提供する。メモリ２０６Ａの一部はまた、不揮発性ランダムアクセスメモリ（ＮＶＲＡＭ）を含んでも良い。プロセッサ３０４は、一般的に、メモリ２０６Ａ内に記憶されるプログラム・インストラクションに基づいて論理オペレーション及び算術オペレーションを実行する。メモリ２０６Ａ中のインストラクションは、本明細書で説明される方法を実装するために実行可能であっても良い。
【００３５】
無線デバイス３０２はまた、該無線デバイス３０２とリモート・ロケーションとの間のデータの送信及び受信を可能にするために、送信機３１０及び受信機３１２を含み得るハウジング３０８を含んでも良い。送信機３１０及び受信機３１２は、トランシーバ３１４中に組み込まれても良い。複数の送信アンテナ３１６は、ハウジング３０８に取り付けられても良く、また、トランシーバ３１４に電気的に接続されても良い。無線デバイス３０２はまた、複数の送信機、複数の受信機及び複数のトランシーバを含んでも良い（図示せず）。
【００３６】
無線デバイス３０２はまた、トランシーバ３１４により受信される信号のレベルを検出及び定量化しようとする目的で使用され得る信号検知器３１８を含んでも良い。信号検知器３１８は、全エネルギー、シンボルごとのサブキャリアごとのエネルギー、パワースペクトル密度及び他の信号のような信号を検知しても良い。無線デバイス３０２はまた、信号の処理で使用するためのデジタルシグナルプロセッサ（ＤＳＰ）３２０を含んでも良い。
【００３７】
無線デバイス３０２の様々なコンポーネントは、バス・システム３２２により連結されても良い。バス・システム３２２は、データバスに加えて、パワー・バス、制御信号バス及びステータス信号バスを含んでも良い。
【００３８】
多元接続のための８０２．１１局のための電力制御
次世代のＩＥＥＥ８０２．１１標準は、ＳＤＭＡ及び直交周波数分割多元接続（ＯＦＤＭＡ）の方へ進んでいる。これらの技術は、アクセスポイント（ＡＰ）へ同時に送信している複数の局（ＳＴＡ）への提供（provisions）を含む。しかし、複数の局からの受信電力における大きな電力の不均衡は、信号に依存するＲＦ雑音フロア及び周波数オフセットに起因するパフォーマンス劣化をもたらす場合がある。例えば、各々のＡＰ−ＳＴＡリンクは、異なる周波数オフセットを有する場合があり、それは、チャンネル間干渉（ＩＣＩ）ひずみをもたらすことがある。信号に依存するＲＦ雑音フロアは、各々のＳＴＡにおけるＩＱ不均衡及びＲＦ非線形性から生じることがある。
【００３９】
例えば、図４は、４つのユーザからのアップリンク（ＵＬ）信号とともに、インターリーブＯＦＤＭＡスキーム（interleaved OFDMA scheme）におけるパフォーマンス劣化を示す。図４において、４つのユーザＵＬ信号トーンのうちの３つは、パワーブースト（power-boosted）されたＯＦＤＭＡ ＵＬ信号トーン４０１，４０２，４０３であり、一方、所望のユーザＵＬ信号４０４は同様にはパワーブーストされておらす、それゆえ、低い電力レベルを有する。複数のユーザ端末にわたるそのような大きなアップリンク電力の差は、ＡＰにおける低い受信ＯＦＤＭＡ信号電力をもつユーザ端末には、パフォーマンス劣化の増大をもたらす可能性がある。最初に、さらにより大きなパフォーマンス劣化が、ＳＤＭＡ電力不均衡から予期され得る。
【００４０】
図示されるように、パワーブーストされたＯＦＤＭＡ（又はＳＤＭＡ）トーン４０１，４０２，４０３に隣接するトーンは、ＩＣＩひずみ４０６（周波数オフセット誤差に起因する）及び位相雑音ひずみ４０８を起こすことがある。さらにまた、ＯＦＤＭＡ（又はＳＤＭＡ）パワーブーストされたユーザのミラーであるトーン４１２は、熱雑音フロア４１４を超えるＩＱ不均衡ひずみ４１０を起こすことがある。
【００４１】
したがって、必要であることは、特にアクセスポイントにおいてより低い受信信号電力をもつユーザ端末について、ＡＰにおける電力低下を減らそうとする目的で、複数のユーザ端末からのアップリンク信号の電力を制御するための技術及び装置である。
【００４２】
例示的な開ループ電力制御
図５は、本開示の特定の実施態様に従って、ユーザ端末の観点から、ＵＬ信号の電力制御のための例示的なオペレーション５００を示す。オペレーション５００は、５１０において、アクセスポイント（ＡＰ）の目標キャリア対干渉（Ｃ／Ｉ）比を満たすように、ＵＬ信号の電力を調整することによって、開始しても良い。１０におけるこの調整は、ＤＬパケットの受信に応じて且つＵＬ多元接続伝送の前にユーザ端末により実行されても良い。目標Ｃ／Ｉ比が、ＡＰによる受信及び信号処理の後で、任意の可能なユーザ端末から受信されたＵＬ信号の所望のＣ／Ｉ比をす反映する（reflects）ように、ＡＰの目標Ｃ／Ｉ比は、後処理の目標であっても良い。幾つかの実施態様について、ＵＬ信号の送信電力は、ＡＰの目標Ｃ／Ｉ比及びクライアント・ピーク電力制約を満たすように、調整されても良い。
【００４３】
幾つかの実施態様について、目標Ｃ／Ｉ比は、ユーザ端末ごとのスループットを最大にしようとすることを目的として、空間ストリームごとに２８ｄＢであっても良い。２８ｄＢの目標Ｃ／Ｉ比は、高められたスペクトル効率を与えるかもしれないが、目標Ｃ／Ｉ比は、使用される符号レートに応じて変化しても良い。さらに、リンク−バジェット（link-budget）制限されたユーザ端末について、２８ｄＢのＣ／Ｉ比は、送信機におけるパワーアンプ（ＰＡ）の制限のために、達成できない場合がある。
【００４４】
ＡＰにおける目標Ｃ／Ｉ比を満たすために、ＵＬ信号に関するユーザ端末の送信電力（Ｐｃｌｉｅｎｔ）は、５１０において以下の式に従って計算されても良い。  
Ｐｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔ 
ここで、ＳＮＲＴａｒｇｅｔは、ＡＰにおける目標Ｃ／Ｉ比であり、ＧＯＦＤＭＡは、オプションである直交周波数分割多元接続（ＯＦＤＭＡ）処理利得であり、ＧＳＤＭＡは、ＡＰにおけるオプションである空間分割多元接続（ＳＤＭＡ）処理利得であり、ＧＣＤＭＡは、オプションである符号分割多重アクセス（ＣＤＭＡ）処理利得であり、ＮＴＨは、熱雑音フロアであり、Ｃは、アソシエーション又は他の代表的なパケット交換プロトコルの間にキャリブレートされるパラメータを表し、ＰＡＰは、ＡＰ送信電力（例えば、ＡＰにより広告される）であり、ＲＳＳＩｃｌｉｅｎｔは、ユーザ端末において測定された受信ダウンリンク（ＤＬ）信号の受信信号強度表示（ＲＳＳＩ）である。例えば、これらのパラメータの一部は、キャリブレート・アウト（calibrated out）されても良く、他のパラメータは、ＡＰにより提供されても良い。
【００４５】
Ｐｃｌｉｅｎｔのための計算は、おそらくＧＯＦＤＭＡ、ＧＳＤＭＡ及びＧＣＤＭＡのうちの少なくとも一つを含んでも良い。ＧＯＦＤＭＡは、１０log１０（６４／Ｎｔｏｎｅｓ）に等しくても良い（ここで、Ｎｔｏｎｅｓは、伝送のために使用される周波数の数である）。ＧＳＤＭＡは、１０log１０（ＭＴ／ＮＳ）に等しくても良い（ここで、ＭＴは送信アンテナの数、ＮＳはＳＤＭＡ空間ストリームの数である）。アソシエーション又は他の代表的なパケット交換プロトコルの間にキャリブレートされるパラメータは、例えば、ＡＰにおける雑音指数（noise figure）（ＮＦＡＰ）、及び、ＡＰにおける無線周波数（ＲＦ）／アンテナ利得（ＧＡＰ，ＲＦ）を含んでも良い。それらのようなパラメータは、ＡＰにより広告されても良い。
【００４６】
５２０において、ユーザ端末は、電力調整されたＵＬ信号を送信しても良い。例えば、所望の電力が送信機回路コンポーネント（例えばパワーアンプ）能力を超えない限り、送信された信号は、計算された送信電力Ｐｃｌｉｅｎｔを満たし得る。このように、ＵＬ信号は、ＡＰにより受信されても良く、また、後処理の後、所望の目標Ｃ／Ｉ比を達成しても良い。所望のＡＰ目標Ｃ／Ｉ比を満たそうとしている複数のＵＬ信号を送信しようとすることを目的として、複数のユーザ端末が、上記で説明された５１０及び５２０のオペレーションを実装するならば、ＡＰにより受信される複数のＵＬ信号間に大きな電力の差がある必要はなく、より低い受信信号電力をもつＵＬ信号に対するパフォーマンス劣化は、おそらく減らされることができる。言い換えると、本開示の特定の実施形態に従って、調整された異なるユーザ端末からのＵＬ信号の送信電力を、ＡＰにおける目標Ｃ／Ｉ比を満たすようにすることによって、受信ＵＬ信号電力における有意な差（significant differences）は除去され、また、ＩＣＩひずみ、位相ひずみ及びＩＱ不均衡ひずみは、例えば、軽減され得る。
【００４７】
例示的な閉ループ電力制御
５１０及び５２０のオペレーションは、開ループ電力制御オペレーションと考えられる。なぜならば、これらのオペレーションは、ＡＰからのフィードバックなしでＵＬ信号の送信電力を調整するからである。しかし、５３０〜５５０のオプションのオペレーションにより示されるように、（ＡＰフィードバックに基づく）閉ループ・オペレーションが実行されても良い。閉ループ電力制御は、より良い電力制御を提供し、そして、例えば、不完全な又は期限切れのＲＳＳＩ測定、ＡＰ ＲＦに対する変化、及び、処理利得に起因する開ループ電力制御における不完全性を説明するために（account for）、使用されても良い。さらに、閉ループ電力制御は、ＡＰが、最適なＵＬ ＳＤＭＡ／ＯＦＤＭＡパフォーマンスのためのクライアント送信電力を管理すること、異常な（rogue）クライアント（すなわち、おそらく不正確なＲＳＳＩ測定又は推定に起因して、過度の電力で送信しているクライアント）を取り締まること、及び、例えばエンタープライズ・アプリケーションにおいて、隣接する基地局サブシステム（ＢＳＳ）に対して生成される干渉を制限することを可能にし得る。
【００４８】
したがって、図６Ａ中に説明されるように、閉ループ電力制御オペレーションのために、ユーザ端末１２０は、５３０において、電力調整されたＵＬ信号の電力を示す値６００（例えば、Ｐｃｌｉｅｎｔ）を送信しても良い。５４０において、ユーザ端末１２０は、図６Ｂ中に示されるように、ＡＰ１１０から調整情報６５０（ΔＰとして表される）を受信しても良い。幾つかの実施態様について、調整情報６５０は、電力値６００及びＡＰ１１０の目標Ｃ／Ｉ比に基づいても良い。例えば、調整情報６５０は、新しい、調整された目標Ｃ／Ｉ比（例えば、ＳＮＲＴａｒｇｅｔ’）であっても良いし、又は、目標Ｃ／Ｉ比と、後処理の後の実際の受信Ｃ／Ｉとの間の差に基づく、目標Ｃ／Ｉ比に対する調整（例えば、ΔＳＮＲＴａｒｇｅｔ）であっても良い。５５０において、ユーザ端末１２０は、ＡＰ１１０から受信される調整情報６５０に基づいて、ＵＬ信号の送信電力を調整しても良い。
【００４９】
特定の実施形態について、ユーザ端末１２０は、例えば、ＡＰ１１０へ、０から２Ｎ−１にわたるビット値が代表値（representative values）を示すように、ＵＬパケットのメディアアクセスコントロール（ＭＡＣ）ヘッダ中のＮビット・フィールドを使用して、現在使用される送信電力値６００（例えば、Ｐｃｌｉｅｎｔ）をｄＢｍの単位で、伝えても良い。幾つかの実施態様について、そのようなシナリオにおいて例としてＮ＝６によると、ビット−表現は、例えば０．５ｄＢｍの分解能で［−８．５：０．５：２３．０］ｄＢｍの範囲にわたる電力値６００に対応する［０：１：６３］の範囲をカバーしても良い。
【００５０】
他の実施態様について、ユーザ端末１２０により伝えられる電力値６００は、ピーク送信電力からのバックオフ値を表しても良い。このフィードバックは、ＡＰ１１０が、ユーザ端末１２０の利用可能なＰＡのヘッドルームの量を判定するのを可能にし得る。そのような情報は、複数の局のためのＤＬ閉ループ電力制御シグナリングのために必要とされ得る。それゆえ、例えば、Ｎ＝６で［０：１：６３］の範囲は、０．５ｄＢの分解能によるピーク送信電力の下に［０．０：０．５：３１．５］ｄＢであるピーク送信電力に対応しても良い。ユーザ端末１２０は、アソシエーション（association）、ユーザ端末１２０が最初にネットワークに入るときの初期ハンドシェイクの間に、ピーク送信電力をＡＰ１１０へ伝えても良い。
【００５１】
図７は、ＡＰ１１０の観点から、ＵＬ信号の閉ループ電力制御のための例示的なオペレーション７００を示す。オペレーション７００は、ユーザ端末１２０により送信されるＵＬ信号の電力を示す値６００（例えば、図６Ａ中に示されるＰｃｌｉｅｎｔ）を受信することによって、７１０において開始しても良い。ＡＰ１１０は、受信されたＵＬパケットのＭＡＣヘッダ中の電力値を復号化できても良い。
【００５２】
７２０において、ＡＰ１１０は、少なくとも受信された電力値６００及び目標Ｃ／Ｉ比に基づいて、調整情報６５０を判定しても良い。例えば、調整情報６５０は、新しい、調整された目標Ｃ／Ｉ比（例えば、ＳＮＲＴａｒｇｅｔ’）であっても良いし、又は、目標Ｃ／Ｉ比と、７１０の受信及び後処理の後のＵＬ信号の測定されたＣ／Ｉとの間の差に基づく、目標Ｃ／Ｉ比に対する調整（例えば、ΔＳＮＲＴａｒｇｅｔ）であっても良い。幾つかの実施態様について、ＡＰの目標Ｃ／Ｉ比は、先に述べたように空間ストリームごとに２８ｄＢであっても良い。
【００５３】
７３０において、ＡＰ１１０は、調整情報６５０（例えば、図６Ｂ中に示されるΔＰ）を、ユーザ端末１２０へ送信しても良い。調整情報６５０を伝えるために、ＡＰ１１０は、調整情報６５０を、ＤＬパケットのＭＡＣヘッダ中に符号化しても良い。特定の実施態様について、ＡＰ１１０は、０から２Ｍ−１にわたるビット値が代表値を示すように、ＤＬパケットのＭＡＣヘッダ中のＭビット・フィールドを使用しても良い。幾つかの実施態様について、そのようなシナリオにおいて例としてＭ＝６によると、それによって、［０：１：６３］の範囲をカバーし、ビット−表現は、［−１６．０：０．５：１５．５］ｄＢｍの調整範囲に対応しても良い。
【００５４】
他の実施態様について、ユーザ端末１２０に伝えられる調整情報６５０は、ピーク送信電力からのバックオフ値を表しても良い。上記したように、調整情報６５０は、ユーザ端末１２０の利用可能なＰＡのヘッドルームを考慮しても良い。それゆえ、例えば、Ｍ＝６で［０：１：６３］の範囲は、０．５ｄＢの分解能によるピーク送信電力の下に［０．０：０．５：３１．５］ｄＢである送信電力に対応しても良い。
【００５５】
オペレーション７００は、複数のユーザ端末について実行されても良い。そして、それらの各々は、ＵＬ伝送のために使用される送信電力を示す値を提供しても良い。それゆえ、ＡＰは、異なるユーザ端末へ、異なる電力調整情報を送信しても良い。
【００５６】
上で説明された方法の様々なオペレーションは、図中に示される手段プラス機能のブロック（means-plus-function blocks）に対応する様々なハードウェア及び／又は（１又は複数の）ソフトウェア・コンポーネント及び／又は（１又は複数の）モジュールにより実行されても良い。通常、図中で説明された方法が、対応する対照物である手段プラス機能の図を有する場合に、オペレーション・ブロックは、同様の番号を付された手段プラス機能のブロックに対応する。例えば、図５中に示されるブロック５１０−５５０は、図５Ａ中に示される説明される手段プラス機能のブロック５１０Ａ−５５０Ａに対応する。同様に、図７のブロック７１０−７３０は、図７Ａ中に示される手段プラス機能のブロック７１０Ａ−７３０Ａに対応する。
【００５７】
本明細書で使用されるように、用語“判定すること（determining）”は、多種多様なアクションを含む。例えば、“判定すること”は、計算すること（calculating）、計算すること（computing）、処理すること（processing）、得ること（deriving）、調べること（investigating）、検索すること（looking up）（例えば、テーブル、データベース又は他のデータ構造中を検索すること）、確認すること（ascertaining）などを含んでも良い。また、“判定すること”は、受信すること（例えば、情報を受信すること）、アクセスすること（例えば、メモリ中のデータにアクセスすること）などを含んでも良い。また、“判定すること”は、解決すること（resolving）、選択すること（selecting）、選択すること（choosing）、確立することなどを含んでも良い。
【００５８】
情報及び信号は、様々な異なるテクノロジー及びテクニックの任意のものを使用して表現されても良い例えば、上記説明の間に参照される、データ、インストラクション、コマンド、情報、信号などは、電圧、電流、電磁波、磁場若しくは磁性粒子（magnetic fields or particles）、光場若しくは光学粒子（optical fields or particles）、又はそれらの任意の組み合わせにより表現可能である。
【００５９】
本開示に関連して説明される様々な実例となる論理ブロック、モジュール及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス（ＰＬＤ）、個別ゲート又はトランジスタロジック、個別のハードウェアコンポーネント、又は、本明細書で説明される機能を実行するようにデザインされたそれらの任意の組み合せで実装されても良く又は実行されても良い。汎用プロセッサは、マイクロプロセッサであっても良いが、代わりに、プロセッサは、任意の市販のプロセッサ、コントローラ、マイクロコントローラ、又はステートマシンであっても良い。プロセッサはまた、コンピュータ・デバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【００６０】
本開示に関連して説明された方法又はアルゴリズムのステップは、ハードウェアに直接具体化されても良いし、プロセッサにより実行されるソフトウェア・モジュールに具体化されても良いし、又は、それら二つの組み合わせに具体化されても良い。ソフトウェア・モジュールは、当該技術において周知の任意の形の記憶媒体の中に存在しても良い。使用され得る記憶媒体の幾つかの例は、ランダムアクセスメモリ（ＲＡＭ）、読出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、その他を含む。ソフトウェア・モジュールは、単一のインストラクション又は多くのインストラクションを含んでも良く、また、幾つかの異なるコード・セグメントの上で、異なるプログラム中で、及び、複数の記憶媒体にわたって、配信されても良い。記憶媒体は、プロセッサがその記憶媒体から情報を読み込み、また、それへ情報を書き込むことができるように、そのプロセッサに接続される。代わりに、記憶媒体は、プロセッサに一体化されていても良い。
【００６１】
本明細書で開示される方法は、説明される方法を達成するための１又は複数のステップ又はアクションを含む。方法のステップ及び／又はアクションは、クレームの範囲から逸脱することなく互いに交換されても良い。言い換えると、ステップ又はアクションの特定の順序が指定されない限り、特定のステップ及び／又はアクションの順序及び／又は使用は、クレームの要旨を逸脱しない範囲で修正されても良い。
【００６２】
説明される機能は、ハードウェア、ソフトウェア、ファームウェア又はそれらの任意の組み合せにおいて実装されても良い。ソフトウェアで実装される場合には、機能は、コンピュータ読み取り可能な媒体に、１又は複数のインストラクション又はコードとして、格納されても良い。記憶媒体は、コンピュータによってアクセスできる任意の利用可能な媒体であっても良い。制限ではなく、例として、上記コンピュータ読み取り可能な媒体は、ＲＡＭ、ＲＯＭ、ＥＥＰＲＯＭ、ＣＤ−ＲＯＭ、他の光ディスク記憶装置、磁気ディスク記憶装置若しくは他の磁気記憶装置、又は、インストラクション若しくはデータ構造の形で所望のプログラム・コードを伝えるかか若しくは記憶するのに使用でき、且つ、コンピュータによってアクセスできる任意の他の媒体を含むことができる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。
【００６３】
ソフトウェア又はインストラクションはまた、伝送媒体上で送信されても良い。例えば、同軸ケーブル、光ファイバーケーブル、ツイストペア、デジタル加入者線（ＤＳＬ）、又は、例えば赤外線、無線、マイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線、マイクロ波のような無線技術は、伝送媒体の定義に含まれる。
【００６４】
さらに、本明細書で説明される方法及び技術を実行するためのモジュール及び／又は他の適切な手段は、該当する場合には、ユーザ端末及び／又は基地局にダウンロードされることができ及び／又はさもなければユーザ端末及び／又は基地局ににより取得されることができることは認識されるべきである。例えば、そのようなデバイスは、本明細書で説明される方法を実行するための手段の転送を容易にするためにサーバへ接続されることができる。あるいは、本明細書で説明される様々な方法は、ユーザ端末及び／又は基地局が記憶手段のデバイスへの接続又は提供により様々な方法を得ることができるように、記憶手段（例えば、ＲＡＭ、ＲＯＭ、物理記憶媒体（例えばコンパクトディスク（ＣＤ）又はフロッピー・ディスクなど））により提供されることができる。さらに、本明細書で説明される方法及び技術をデバイスへ提供するための他の任意の適切な技術が利用されることができる。
【００６５】
クレームが上で説明された正確な構成及び要素に制限されないことは理解されるべきである。クレームの範囲を逸脱することなく、上で説明された方法及び装置の配置、動作及び細部において、様々な修正、変更及び変形がなされても良い。 
以下に、本願出願の当初の特許請求の範囲に記載された各請求項に対応する発明を付記する。 
［１］無線ローカルエリアネットワーク（ＷＬＡＮ）におけるアップリンク（ＵＬ）信号の電力制御のための方法において、 
アクセスポイント（ＡＰ）の目標キャリア対干渉（Ｃ／Ｉ）比を満たすように、前記ＵＬ信号の前記電力を調整することと、 
前記電力調整されたＵＬ信号を送信することを含む方法。 
［２］前記ＵＬ信号の前記電力を調整することは、前記ＡＰの目標Ｃ／Ｉ比及びクライアント・ピーク電力制約を満たすように、前記ＵＬ信号の電力を調整することを含む［１］の方法。 
［３］前記電力調整されたＵＬ信号の前記電力を示す値を送信することを更に含む［１］の方法。 
［４］前記電力値を送信することは、ＵＬパケットのメディア・アクセス制御（ＭＡＣ）ヘッダ中に前記電力値を符号化することを含む［３］の方法。 
［５］前記電力値を符号化することは、前記ＭＡＣヘッダのＮビット・フィールド中に前記電力値を符号化することを含み、 
０から２Ｎ−１にわたる前記ビット値は、代表値を示す［４］の方法。 
［６］前記電力値は、ピーク送信電力からのバックオフ値を含む［５］の方法。 
［７］Ｎ＝６であり、前記代表値は、０．５ｄＢの分解能で、前記ピーク送信電力の下でおよそ０．０から３１．５ｄＢにわたる［６］の方法。 
［８］前記電力値及び前記目標Ｃ／Ｉ比に基づいて、アクセスポイント（ＡＰ）から調整情報を受信することと、 
前記調整情報に基づいて、前記ＵＬ信号の前記電力を調整することを更に含む［３］の方法。 
［９］前記調整情報を受信することは、ダウンリンク（ＤＬ）パケットのメディア・アクセス制御（ＭＡＣ）ヘッダ中の前記調整情報を復号化することを含む［８］の方法。 
［１０］前記調整情報を復号化することは、前記ＭＡＣヘッダのＭビット・フィールドから前記調整情報を復号化することを含み、 
０から２Ｍ−１にわたるビット値は、代表値を示す［９］の方法。 
［１１］前記調整情報は、ピーク送信電力からのバックオフ値を含む［１０］の方法。 
［１２］Ｍ＝６であり、前記代表値は、０．５ｄＢの分解能で、前記ピーク送信電力の下でおよそ０．０から３１．５ｄＢにわたる［１１］の方法。 
［１３］前記ＵＬ信号の前記電力を調整することは、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算することを含み、 
Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である［１］の方法。 
［１４］前記Ｐｃｌｉｅｎｔのための計算は、ＧＯＦＤＭＡ、ＧＳＤＭＡ及びＧＣＤＭＡのうちの少なくとも一つを含む［１３］の方法。 
［１５］前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む［１３］の方法。 
［１６］前記目標Ｃ／Ｉ比は、およそ２８ｄＢである［１］の方法。 
［１７］無線ローカルエリアネットワーク（ＷＬＡＮ）におけるアップリンク（ＵＬ）信号の電力制御のためのコンピュータ・プログラム製品において、その上に記憶されたインストラクションを有するコンピュータ読み取り可能な媒体を含み、該インストラクションは１又は複数のプロセッサにより実行され、該インストラクションは、 
アクセスポイント（ＡＰ）の目標キャリア対干渉（Ｃ／Ｉ）比を満たすように、前記ＵＬ信号の前記電力を調整するためのインストラクションと、 
前記電力調整されたＵＬ信号を送信するためのインストラクションとを含むコンピュータ・プログラム製品。 
［１８］前記ＵＬ信号の前記電力を調整するための前記インストラクションは、前記ＡＰの目標Ｃ／Ｉ比及びクライアント・ピーク電力制約を満たすように、前記ＵＬ信号の電力を調整するためのインストラクションを含む［１７］のコンピュータ・プログラム製品。 
［１９］前記電力調整されたＵＬ信号の前記電力を示す値を送信するためのインストラクションを更に含む［１７］のコンピュータ・プログラム製品。 
［２０］前記電力値を送信するための前記インストラクションは、ＵＬパケットのメディア・アクセス制御（ＭＡＣ）ヘッダ中に前記電力値を符号化するためのインストラクションを含む［１９］のコンピュータ・プログラム製品。 
［２１］前記電力値を符号化するための前記インストラクションことは、前記ＭＡＣヘッダのＮビット・フィールド中に前記電力値を符号化するためのインストラクションを含み、 
０から２Ｎ−１にわたる前記ビット値は、代表値を示す［２０］のコンピュータ・プログラム製品。 
［２２］前記電力値及び前記目標Ｃ／Ｉ比に基づいて、アクセスポイント（ＡＰ）から調整情報を受信するためのインストラクションと、 
前記調整情報に基づいて、前記ＵＬ信号の前記電力を調整するためのインストラクションとを更に含む［１９］のコンピュータ・プログラム製品。 
［２３］前記調整情報を受信するための前記インストラクションは、ダウンリンク（ＤＬ）パケットのメディア・アクセス制御（ＭＡＣ）ヘッダ中の前記調整情報を復号化するためのインストラクションを含む［２２］のコンピュータ・プログラム製品。 
［２４］前記調整情報を復号化するための前記インストラクションは、前記ＭＡＣヘッダのＭビット・フィールドから前記調整情報を復号化するためのインストラクションを含み、 
０から２Ｍ−１にわたるビット値は、代表値を示す［２３］のコンピュータ・プログラム製品。 
［２５］前記ＵＬ信号の前記電力を調整するための前記インストラクションは、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算するためのインストラクションを含み、 
ここで、Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である［１７］のコンピュータ・プログラム製品。 
［２６］前記Ｐｃｌｉｅｎｔのための計算は、ＧＯＦＤＭＡ、ＧＳＤＭＡ及びＧＣＤＭＡのうちの少なくとも一つを含む［２５］のコンピュータ・プログラム製品。 
［２７］前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む［２５］のコンピュータ・プログラム製品。 
［２８］前記目標Ｃ／Ｉ比は、およそ２８ｄＢである［１７］のコンピュータ・プログラム製品。 
［２９］無線ローカルエリアネットワーク（ＷＬＡＮ）におけるアップリンク（ＵＬ）信号の電力制御のための装置において、 
アクセスポイント（ＡＰ）の目標キャリア対干渉（Ｃ／Ｉ）比を満たすように、前記ＵＬ信号の前記電力を調整するための手段と、 
前記電力調整されたＵＬ信号を送信するための手段とを含む装置。 
［３０］前記ＵＬ信号の前記電力を調整するための前記手段は、前記ＡＰの目標Ｃ／Ｉ比及びクライアント・ピーク電力制約を満たすように、前記ＵＬ信号の電力を調整するための手段を含む［２９］の装置。 
［３１］前記電力調整されたＵＬ信号の前記電力を示す値を送信するための手段を更に含む［２９］の装置。 
［３２］前記電力値を送信するための前記手段は、ＵＬパケットのメディア・アクセス制御（ＭＡＣ）ヘッダ中に前記電力値を符号化するための手段を含む［３１］の装置。 
［３３］前記電力値を符号化するための前記手段は、前記ＭＡＣヘッダのＮビット・フィールド中に前記電力値を符号化するための手段を含み、 
０から２Ｎ−１にわたる前記ビット値は、代表値を示す［３２］の装置。 
［３４］前記電力値及び前記目標Ｃ／Ｉ比に基づいて、アクセスポイント（ＡＰ）から調整情報を受信するための手段と、 
前記調整情報に基づいて、前記ＵＬ信号の前記電力を調整するための手段とを更に含む［３１］の装置。 
［３５］前記調整情報を受信するための前記手段は、ダウンリンク（ＤＬ）パケットのメディア・アクセス制御（ＭＡＣ）ヘッダ中の前記調整情報を復号化するための手段を含む［３４］の装置。 
［３６］前記調整情報を復号化するための前記手段は、前記ＭＡＣヘッダのＭビット・フィールドから前記調整情報を復号化するための手段を含み、 
０から２Ｍ−１にわたるビット値は、代表値を示す［３５］の装置。 
［３７］前記ＵＬ信号の前記電力を調整するための前記手段は、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算するための手段を含み、 
ここで、Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である［２９］の装置。 
［３８］前記Ｐｃｌｉｅｎｔのための計算は、ＧＯＦＤＭＡ、ＧＳＤＭＡ及びＧＣＤＭＡのうちの少なくとも一つを含む［３７］の装置。 
［３９］前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む［３７］の装置。 
［４０］前記目標Ｃ／Ｉ比は、およそ２８ｄＢである［２９］の装置。 
［４１］無線ローカルエリアネットワーク（ＷＬＡＮ）におけるアップリンク（ＵＬ）信号の電力制御ができるモバイル・デバイスにおいて、 
アクセスポイント（ＡＰ）の目標キャリア対干渉（Ｃ／Ｉ）比を満たすように、前記ＵＬ信号の前記電力を調整するためのロジックと、 
前記電力調整されたＵＬ信号を送信するように構成された送信機とを含むモバイル・デバイス。 
［４２］前記ＵＬ信号の前記電力を調整するための前記ロジックは、前記ＡＰの目標Ｃ／Ｉ比及びクライアント・ピーク電力制約を満たすように、前記ＵＬ信号の電力を調整するように構成された［４１］のモバイル・デバイス。 
［４３］前記送信機は、前記電力調整されたＵＬ信号の前記電力を示す値を送信するように構成された［４１］のモバイル・デバイス。 
［４４］前記電力値は、ＵＬパケットのメディア・アクセス制御（ＭＡＣ）ヘッダ中に符号化される［４３］のモバイル・デバイス。 
［４５］前記電力値は、前記ＭＡＣヘッダのＮビット・フィールド中に符号化され、 
０から２Ｎ−１にわたる前記ビット値は、代表値を示す［４４］のモバイル・デバイス。 
［４６］前記電力値及び前記目標Ｃ／Ｉ比に基づいて、アクセスポイント（ＡＰ）から調整情報を受信するように構成された受信機を更に含み、 
調整するための前記ロジックは、前記受信された調整情報に基づいて、前記ＵＬ信号の前記電力を調整するように構成された［４３］のモバイル・デバイス。 
［４７］ダウンリンク（ＤＬ）パケットのメディア・アクセス制御（ＭＡＣ）ヘッダ中の前記調整情報を復号化するためのロジックを更に含む［４６］のモバイル・デバイス。 
［４８］前記調整情報を復号化するための前記ロジックは、前記ＭＡＣヘッダのＭビット・フィールドから前記調整情報を復号化するように構成され、 
０から２Ｍ−１にわたるビット値は、代表値を示す［４７］のモバイル・デバイス。 
［４９］前記ＵＬ信号の前記電力を調整するための前記ロジックは、前記電力調整されたＵＬ信号をＰｃｌｉｅｎｔ＝ＳＮＲＴａｒｇｅｔ−ＧＯＦＤＭＡ−ＧＳＤＭＡ−ＧＣＤＭＡ＋ＮＴＨ＋Ｃ＋ＰＡＰ−ＲＳＳＩｃｌｉｅｎｔとして計算するように構成され、 
ここで、Ｐｃｌｉｅｎｔは前記電力調整されたＵＬ信号の前記電力であり、ＳＮＲＴａｒｇｅｔは前記目標Ｃ／Ｉ比であり、ＧＯＦＤＭＡはオプションである直交周波数分割多元接続（ＯＦＤＭＡ）処理利得であり、ＧＳＤＭＡはオプションである空間分割多元接続（ＳＤＭＡ）処理利得であり、ＧＣＤＭＡはオプションである符号分割多重アクセス（ＣＤＭＡ）処理利得であり、ＮＴＨは、熱雑音フロアであり、Ｃはアソシエーション又は他の代表的なパケット交換プロトコルの間にキャリブレートされるパラメータを表し、ＰＡＰはＡＰ送信電力であり、ＲＳＳＩｃｌｉｅｎｔは受信ダウンリンク（ＤＬ）信号の受信信号強度表示（ＲＳＳＩ）である［４１］のモバイル・デバイス。 
［５０］前記Ｐｃｌｉｅｎｔのための計算は、ＧＯＦＤＭＡ、ＧＳＤＭＡ及びＧＣＤＭＡのうちの少なくとも一つを含む［４９］のモバイル・デバイス。 
［５１］前記アソシエーション又は他の代表的なパケット交換プロトコルの間にキャリブレートされるパラメータは、ＡＰ雑音指数（ＮＦＡＰ）及びＡＰ無線周波数（ＲＦ）／アンテナ利得（ＧＡＰ，ＲＦ）を含む［４９］のモバイル・デバイス。 
［５２］前記目標Ｃ／Ｉ比は、およそ２８ｄＢである［４１］のモバイル・デバイス。 
［５３］無線ローカルエリアネットワーク（ＷＬＡＮ）におけるアップリンク（ＵＬ）信号の閉ループ電力制御のための方法において、 
前記ＵＬ信号の前記電力を示す値を受信することと、 
少なくとも前記受信された電力値及び目標キャリア対干渉（Ｃ／Ｉ）比に基づいて、調整情報を判定することと、 
前記調整情報を送信することを含む方法。 
［５４］前記電力値を受信することは、ＵＬパケットのメディア・アクセス制御（ＭＡＣ）ヘッダ中の前記電力値を復号化することを含む［５３］の方法。 
［５５］前記電力値を復号化することは、前記ＭＡＣヘッダのＮビット・フィールドから前記電力値を復号化することを含み、 
０から２Ｎ−１にわたる前記ビット値は、代表値を示す［５４］の方法。 
［５６］前記電力値は、ピーク送信電力からのバックオフ値を含む［５５］の方法。 
［５７］Ｎ＝６であり、前記代表値は、０．５ｄＢの分解能で、前記ピーク送信電力の下でおよそ０．０から３１．５ｄＢにわたる［５６］の方法。 
［５８］前記調整情報を送信することは、ダウンリンク（ＤＬ）パケットのメディア・アクセス制御（ＭＡＣ）ヘッダ中に前記調整情報を符号化することを含む［５３］の方法。 
［５９］前記調整情報を符号化することは、前記ＭＡＣヘッダのＭビット・フィールド中に前記調整情報を符号化することを含み、 
０から２Ｍ−１にわたるビット値は、代表値を示す［５８］の方法。 
［６０］前記調整情報は、ピーク送信電力からのバックオフ値を含む［５９］の方法。 
［６１］Ｍ＝６であり、前記代表値は、０．５ｄＢの分解能で、前記ピーク送信電力の下でおよそ０．０から３１．５ｄＢにわたる［６０］の方法。 
［６２］前記目標Ｃ／Ｉ比は、およそ２８ｄＢである［５３］の方法。 
［６３］無線ローカルエリアネットワーク（ＷＬＡＮ）におけるアップリンク（ＵＬ）信号の閉ループ電力制御のためのコンピュータ・プログラム製品において、その上に記憶されたインストラクションを有するコンピュータ読み取り可能な媒体を含み、該インストラクションは１又は複数のプロセッサにより実行され、該インストラクションは、 
前記ＵＬ信号の前記電力を示す値を受信するためのインストラクションと、 
少なくとも前記受信された電力値及び目標キャリア対干渉（Ｃ／Ｉ）比に基づいて、調整情報を判定するためのインストラクションと、 
前記調整情報を送信するためのインストラクションとを含むコンピュータ・プログラム製品。 
［６４］前記電力値を受信するための前記インストラクションは、ＵＬパケットのメディア・アクセス制御（ＭＡＣ）ヘッダ中の前記電力値を復号化するためのインストラクションを含む［６３］のコンピュータ・プログラム製品。 
［６５］前記電力値を復号化するための前記インストラクションは、前記ＭＡＣヘッダのＮビット・フィールドから前記電力値を復号化するためのインストラクションを含み、 
０から２Ｎ−１にわたる前記ビット値は、代表値を示す［６４］のコンピュータ・プログラム製品。 
［６６］前記調整情報を送信するための前記インストラクションは、ダウンリンク（ＤＬ）パケットのメディア・アクセス制御（ＭＡＣ）ヘッダ中に前記調整情報を符号化するためのインストラクションを含む［６３］のコンピュータ・プログラム製品。 
［６７］前記調整情報を符号化するための前記インストラクションは、前記ＭＡＣヘッダのＭビット・フィールド中に前記調整情報を符号化することを含み、 
０から２Ｍ−１にわたるビット値は、代表値を示す［６６］のコンピュータ・プログラム製品。 
［６８］前記目標Ｃ／Ｉ比は、およそ２８ｄＢである［６３］のコンピュータ・プログラム製品。 
［６９］無線ローカルエリアネットワーク（ＷＬＡＮ）におけるアップリンク（ＵＬ）信号の閉ループ電力制御のための装置において、 
前記ＵＬ信号の前記電力を示す値を受信するための手段と、 
少なくとも前記受信された電力値及び目標キャリア対干渉（Ｃ／Ｉ）比に基づいて、調整情報を判定するための手段と、 
前記調整情報を送信するための手段とを含む装置。 
［７０］前記電力値を受信するための前記手段は、ＵＬパケットのメディア・アクセス制御（ＭＡＣ）ヘッダ中の前記電力値を復号化するための手段を含む［６９］の装置。 
［７１］前記電力値を復号化するための前記手段は、前記ＭＡＣヘッダのＮビット・フィールドから前記電力値を復号化するための手段を含み、 
０から２Ｎ−１にわたる前記ビット値は、代表値を示す［７０］の装置。 
［７２］前記調整情報を送信するための前記手段は、ダウンリンク（ＤＬ）パケットのメディア・アクセス制御（ＭＡＣ）ヘッダ中に前記調整情報を符号化するための手段を含む［６９］の装置。 
［７３］前記調整情報を符号化するための前記手段は、前記ＭＡＣヘッダのＭビット・フィールド中に前記調整情報を符号化することを含み、 
０から２Ｍ−１にわたるビット値は、代表値を示す［７２］の装置。 
［７４］前記目標Ｃ／Ｉ比は、およそ２８ｄＢである［６９］の装置。 
［７５］無線ローカルエリアネットワーク（ＷＬＡＮ）におけるアップリンク（ＵＬ）信号の閉ループ電力制御ができるアクセスポイント（ＡＰ）において、 
前記ＵＬ信号の前記電力を示す値を受信するように構成された受信機と、 
少なくとも前記受信された電力値及び目標キャリア対干渉（Ｃ／Ｉ）比に基づいて、調整情報を判定するように構成されたロジックと、 
前記調整情報を送信するように構成された送信機とを含むアクセスポイント。 
［７６］前記受信機は、ＵＬパケットのメディア・アクセス制御（ＭＡＣ）ヘッダ中の前記電力値を復号化するように構成された［７５］のアクセスポイント。 
［７７］前記受信機は、前記ＭＡＣヘッダのＮビット・フィールドから前記電力値を復号化するように構成され、 
０から２Ｎ−１にわたる前記ビット値は、代表値を示す［７６］のアクセスポイント。 
［７８］前記送信機は、ダウンリンク（ＤＬ）パケットのメディア・アクセス制御（ＭＡＣ）ヘッダ中に前記調整情報を符号化するように構成された［７５］のアクセスポイント。 
［７９］前記送信機は、前記ＭＡＣヘッダのＭビット・フィールド中に前記調整情報を符号化するように構成され、 
０から２Ｍ−１にわたるビット値は、代表値を示す［７８］のアクセスポイント。 
［８０］前記目標Ｃ／Ｉ比は、およそ２８ｄＢである［７５］のアクセスポイント。
【図１】
0005307243.tif 000002
【図２】
0005307243.tif 000003
【図３】
0005307243.tif 000004
【図４】
0005307243.tif 000005
【図５】
0005307243.tif 000006
【図５Ａ】
0005307243.tif 000007
【図６Ａ】
0005307243.tif 000008
【図６Ｂ】
0005307243.tif 000009
【図７】
0005307243.tif 000010
【図７Ａ】
0005307243.tif 000011